(57)【要約】【課題】出射光の減衰を抑制することができる光源ユニット及びこれを備えた表示装置を提供する。【解決手段】光源ユニット１は、発光ダイオード２と、発光ダイオード２が表面３０に実装された基板３と、棒状の導光部材４と、ケース５と、を備える。導光部材４は、発光ダイオード２から出射した光が入射する入射面４０、及び入射面４０に入射した光が出射する出射面４１を有する。ケース５は、導光部材４を収容し、発光ダイオード２が入射面４０に対向するように基板３を保持する。基板３の表面３０において発光ダイオード２を囲む部分３３０ｃは、暗色の低反射部３１と、低反射部３１よりも光の反射率が高い高反射部３２と、を含む。【選択図】図１
2020087893.tif 000002
【特許請求の範囲】
【請求項１】
発光ダイオードと、
前記発光ダイオードが表面に実装された基板と、
前記発光ダイオードから出射した光が入射する入射面、及び前記入射面に入射した前記光が出射する出射面を有する棒状の導光部材と、
前記導光部材を収容し、前記発光ダイオードが前記入射面に対向するように前記基板を保持するケースと、を備え、
前記基板の前記表面において前記発光ダイオードを囲む部分は、暗色の低反射部と、前記低反射部よりも光の反射率が高い高反射部と、を含む、
光源ユニット。
【請求項２】
前記低反射部の色は、黒色系である、
請求項１の光源ユニット。
【請求項３】
前記高反射部の色は、前記低反射部の色と異なる、
請求項１または２の光源ユニット。
【請求項４】
前記高反射部の色は、白色系である、
請求項３の光源ユニット。
【請求項５】
前記高反射部は、金または白金族元素で形成される、
請求項１または２の光源ユニット。
【請求項６】
前記基板には、前記発光ダイオードと電気的に接続された導体が形成され、
前記高反射部は、前記導体と電気的に絶縁されている、
請求項５の光源ユニット。
【請求項７】
前記部分には、複数の前記高反射部が含まれ、
前記複数の前記高反射部は、前記発光ダイオードを囲むように、互いに周方向に間隔をあけて配置されている、
請求項１から６のいずれか一つの光源ユニット。
【請求項８】
前記複数の前記高反射部は、前記周方向に等間隔に配置されている、
請求項７の光源ユニット。
【請求項９】
前記複数の前記高反射部のそれぞれは、同一の面積を有する、
請求項７または８の光源ユニット。
【請求項１０】
前記複数の前記高反射部のそれぞれは、同一の形状を有する、
請求項７から９のいずれか一つの光源ユニット。
【請求項１１】
請求項１から１０のいずれかの光源ユニットと、
前記光源ユニットから出射した光が入射する入射面と、前記入射面に入射した前記光を出射する出射面とを有する導光板と、
透光性を有し、かつ前記導光板の前記出射面に対向して位置する表示パネルと、を備える、表示装置。
【発明の詳細な説明】
【技術分野】
【０００１】
本開示は、光源ユニット及びこれを備えた表示装置に関する。
【背景技術】
【０００２】
従来、誘導灯として利用される表示装置が知られている（例えば特許文献１参照）。
【０００３】
特許文献１に記載の表示装置は、線状に発光する光源ユニットと、光源ユニットから出射された光によって面状に発光する表示ユニットと、を備える。
【０００４】
光源ユニットは、発光ダイオードと、発光ダイオードが実装された基板と、発光ダイオードから出射された光を導光して線状に発光する導光部材とを有する。表示ユニットは、導光部材から出射された光を導光して面状に発光する導光板と、導光板の前面側に配置される透光性の表示パネルとを有する。表示パネルの表示面（前面）には、避難口へ誘導するためのシンボルが表記されている。
【先行技術文献】
【特許文献】
【０００５】
【特許文献１】特開２０１０−１０３０６０号公報
【発明の概要】
【発明が解決しようとする課題】
【０００６】
ところで、上述した従来発明のような構成の光源ユニットでは、基板表面の反射率が、光源ユニットの出射光に影響を及ぼす。従来発明のような構成の光源ユニットでは、発光ダイオードの連続点灯による熱及び紫外線や、基板の周囲の環境等によって、基板表面の状態が変化するおそれがあり、光源ユニットの出射光が減衰しやすかった。
【０００７】
上記事情に鑑みて、本開示は、出射光の減衰を抑制することができる光源ユニット及びこれを備えた表示装置を提供することを、目的とする。
【課題を解決するための手段】
【０００８】
本開示に係る一態様の光源ユニットは、発光ダイオードと、前記発光ダイオードが表面に実装された基板と、棒状の導光部材と、ケースと、を備える。前記導光部材は、前記発光ダイオードから出射した光が入射する入射面、及び前記入射面に入射した前記光が出射する出射面を有する。前記ケースは、前記導光部材を収容し、前記発光ダイオードが前記入射面に対向するように前記基板を保持する。前記基板の前記表面において前記発光ダイオードを囲む部分は、暗色の低反射部と、前記低反射部よりも光の反射率が高い高反射部と、を含む。
【０００９】
また、本開示に係る一態様の表示装置は、前記光源ユニットと、導光板と、表示パネルと、を備える。前記導光板は、前記光源ユニットから出射した光が入射する入射面と、前記入射面に入射した前記光を出射する出射面とを有する。前記表示パネルは、透光性を有し、かつ前記導光板の前記出射面に対向して位置する。
【発明の効果】
【００１０】
本開示は、出射光の減衰を抑制することができる光源ユニット及びこれを備えた表示装置を提供することができる。
【図面の簡単な説明】
【００１１】
【図１】図１Ａは、本開示に係る一実施形態の光源ユニットを示す分解斜視図であり、図１Ｂは、図１ＡのＷ部分の拡大図であり、図１Ｃは、図１ＡのＸ部分の拡大図である。
【図２】図２Ａは、同上の光源ユニットを示す斜視図であり、図２Ｂは、同上の光源ユニットを示す正面断面図である。
【図３】図３は、図２ＢのＹ部分の拡大図である。
【図４】図４は、同上の光源ユニットが備える基板を示す側面図である。
【図５】図５は、同上の光源ユニットを備える表示装置の一例を示す分解斜視図である。
【図６】図６Ａは、同上の表示装置の一例を示す斜視図であり、図６Ｂは、図６ＡのＺ−Ｚ線における断面図である。
【発明を実施するための形態】
【００１２】
（光源ユニット）
（１）概要
図１Ａから図１Ｃ及び図２Ａ，図２Ｂに示すように、一実施形態の光源ユニット１は、発光ダイオード２と、発光ダイオード２が表面３０に実装された基板３と、棒状の導光部材４と、ケース５と、を備える。
【００１３】
導光部材４は、発光ダイオード２から出射した光が入射する入射面４０、及び入射面４０に入射した光が出射する出射面４１を有する。ケース５は、導光部材４を収容し、発光ダイオード２が入射面４０に対向するように基板３を保持する。
【００１４】
基板３の表面３０において発光ダイオード２を囲む部分３３０ｃは、暗色の低反射部３１と、低反射部３１よりも光の反射率が高い高反射部３２と、を含む。
【００１５】
一実施形態の光源ユニット１では、基板３の表面３０のうち発光ダイオード２を囲む部分３３０ｃに、暗色の低反射部３１を含むため、少なくとも低反射部３１においては、発光ダイオード２の熱及び紫外線や、周囲の環境によって基板３の表面３０が変色しにくい。
【００１６】
そのため、一実施形態の光源ユニット１では、基板３の表面３０の発光ダイオード２を囲む部分３３０ｃ全体としての反射率の減衰を抑えることができ、光源ユニット１からの出射光の減衰を抑制することができる。
【００１７】
また、一実施形態の光源ユニット１では、基板３の表面３０の発光ダイオード２を囲む部分３３０ｃにおける暗色の低反射部３１と高反射部３２の割合を、発光ダイオード２の発光効率に合わせて調整することができる。
【００１８】
そのため、一実施形態の光源ユニット１は、導光部材４の入射面４０に入射する光の量を一定としやすく、導光部材４の出射面４１から出射される光の量が安定しやすいため、所定範囲の輝度を必要とする誘導灯の光源として利用しやすい。
【００１９】
（２）詳細
以下、光源ユニット１について更に詳しく説明する。以下の説明では、図１Ａに示す方向を用いて、各構成について説明する。
【００２０】
（２−１）基板
図１Ａ及び図２Ａ，Ｂに示すように、光源ユニット１は、左右一対の基板３を備える。基板３は、ケース５に保持される第一部分３３と、第一部分３３から後側に突出した第二部分３４とを有する。第一部分３３と第二部分３４のそれぞれは、略矩形板状である。第二部分３４は、第一部分３３よりも上下方向の長さが短く、第一部分３３の後端の上下方向の中央部から後側に突出している。
【００２１】
図３に示すように、発光ダイオード２は、第一部分３３の表面３３０に実装されている。第一部分３３の表面３３０は、ケース５に保持された状態で、ケース５の長手方向（左右方向）の端面に接する外周部分３３０ａと、外周部分３３０ａよりも内側に位置する内部分３３０ｂと、を有する。内部分３３０ｂは、ケース５内に収容された導光部材４の入射面４０に対向する。
【００２２】
図４に示すように、内部分３３０ｂの上下方向及び前後方向の中央部に、発光ダイオード２が実装されている。図１Ｂ及び図４に示すように、内部分３３０ｂのうち、発光ダイオード２を囲む部分３３０ｃが、暗色の低反射部３１と、複数の高反射部３２とを含んでいる。
【００２３】
低反射部３１の色は、暗色であり、発光ダイオード２からの熱及び紫外線によって変色しにくい色である。また、低反射部３１の色は、基板３の周囲の環境によって変色しにくい色である。
【００２４】
低反射部３１の色は、暗色であればよいが、黒色系が好ましく、黒色が更に好ましい。低反射部３１の色が黒色の場合、光の反射率は、１０％程度である。
【００２５】
高反射部３２の色は、低反射部３１の色とは異なる。高反射部３２の色は、低反射部３１の色よりも明るい色である。高反射部３２の色は、例えば、緑色や白色である。高反射部３２の色は、白色系が好ましく、白色が更に好ましい。高反射部３２の色が白色の場合、光の反射率は、７０％以上である。
【００２６】
基板３の表面３０のうち発光ダイオード２を囲む部分３３０ｃには、複数の高反射部３２が含まれる。複数の高反射部３２は、発光ダイオード２を囲むように、互いに周方向に間隔をあけて配置されている。
【００２７】
本実施形態では、複数の高反射部３２は、四つの高反射部３２０，３２１，３２２，３２３で構成されている。四つの高反射部３２０，３２１，３２２，３２３は、互いに周方向に等間隔に距離をあけて配置されている（図４参照）。四つの高反射部３２０，３２１，３２２，３２３のそれぞれは、同一の面積を有する。四つの高反射部３２０，３２１，３２２，３２３のそれぞれは、同一の形状を有する。つまり、四つの高反射部３２０，３２１，３２２，３２３は、発光ダイオード２を中心として点対称に設けられている。
【００２８】
本実施形態では、四つの高反射部３２０，３２１，３２２，３２３のそれぞれは、発光ダイオード２から離れる方向に凸の円弧状である（図４参照）。
【００２９】
基板３は、基板３の基材の表面に形成され、発光ダイオード２に電気的に接続される導体（銅はく等）を有する。基板３は、導体を覆う絶縁性のソルダーレジストを更に有する。
【００３０】
低反射部３１は、例えば、基板３の表面（ソルダーレジストの表面）に暗色（例えば黒色）の塗料を塗布することによって形成される。また、複数の高反射部３２のそれぞれは、例えば、基板３の表面（ソルダーレジストの表面）に明色（例えば白色）の塗料を塗布することによって形成される。なお、複数の高反射部３２のそれぞれは、基板３の表面に塗布された暗色の塗料の上に、明色の塗料を塗布することによって形成してもよい。ここで、明色の塗料は、発光ダイオード２の連続点灯による熱及び紫外線によって変色しにくい耐変色性（耐熱性及び耐紫外線性）を有する塗料であることが好ましい。
【００３１】
なお、低反射部３１と複数の高反射部３２を形成する塗料として電気絶縁性を有する塗料を用いることで、低反射部３１と複数の高反射部３２が、導体を覆うソルダーレジストを兼ねるようにしてもよい。
【００３２】
基板３の製造ロット番号等のサービスマップ３５は、第一部分３３のうち、外周部分３３０ａに形成され、内部分３３０ｂの部分３３０ｃには形成されない。これにより、部分３３０ｃのサービスマップ３５のある部分と無い部分とで、反射の仕方や反射率が変わることを防ぐことができる。また、サービスマップ３５の内容の違いによって、基板３毎に、部分３３０ｃの反射の仕方や反射率が変わることを防ぐことができる。外周部分３３０ａへのサービスマップ３５の形成は、印刷等の周知の手段によって行われる。
【００３３】
第二部分３４のうち、第一部分３３の表面３３０と同じ側を向く表面３４０の後端部には、電源用の端子（電極パッド）８が複数（二極以上）設けられている。端子８は、基板３の基材の表面に形成された導体の端部の、ソルダーレジストに覆われずに露出している部分である。本実施形態では、表面３４０の色は、表面３３０の低反射部３１の色と同じであり、暗色（詳しくは黒色）である。表面３４０は、表面３３０の低反射部３１と同様に、基板３の表面に暗色の塗料を塗布することによって形成される。
【００３４】
発光ダイオード２及び電源用の端子８のそれぞれは、例えば、リフローはんだ付けによって、基板３の表面３０に実装される。
【００３５】
本実施形態では、基板３の基材は、ガラスエポキシ等のガラス系であるが、紙フェノール等の紙系であってもよい。
【００３６】
（２−２）導光部材
図１Ａ及び図２Ｂに示すように、導光部材４は、長手方向の両端面が入射面４０であり、下面が出射面４１である。
【００３７】
本実施形態では、導光部材４は、左右一対の第一導光体４２と、その下側に位置する第二導光体４３とで構成されている。導光体４２，４３のそれぞれは、透明なアクリル樹脂で形成される。導光体４２，４３は、前後方向の長さが互いに同じである。
【００３８】
左右一対の第一導光体４２は、互いに左右対称である。左側の第一導光体４２は、左右方向に長尺な棒状であり、右側の部分ほど上下方向の長さが短く、右端が尖っている。左側の第一導光体４２では、その左端面４２０が入射面４０である。左側の第一導光体４２は、上面４２１が右側の部分ほど下方に位置するように傾斜した傾斜面であり、下面４２２が平面であり、上面４２１と下面４２２とが、右端部において鋭角をなしている。
【００３９】
右側の第一導光体４２は、左右方向に長尺な棒状であり、左側の部分ほど上下方向の長さが短く、左端が尖っている。右側の第一導光体４２では、その右端面４２３が入射面４０である。右側の第一導光体４２は、上面４２１が左側の部分ほど下方に位置するように傾斜した傾斜面であり、下面４２２が平面であり、上面４２１と下面４２２とが、左端部において鋭角をなしている。
【００４０】
左側の第一導光体４２の上面４２１の左端部と、右側の第一導光体４２の上面４２１の右端部のそれぞれには、ケース５に対する位置決めに用いられる突起４２４が設けられている。
【００４１】
第二導光体４３は、左右方向に長尺な棒状であり、左右方向にわたって上下方向の長さが略一定である。第二導光体４３は、第一導光体４２のおよそ２倍の左右長さを有する。
【００４２】
第二導光体４３は、上面４３０と下面４３１とが互いに平行である。下面４３１が、出射面４１である。第二導光体４３は、左右の端面に、左右方向外側に突出した取付用の突起４３２を有する。
【００４３】
一対の第一導光体４２と第二導光体４３とは、第二導光体４３の上面４３０の左半部に左側の第一導光体４２の下面４２２が接し、かつ第二導光体４３の上面４３０の右半部に右側の第一導光体４２の下面４２２が接するように、上下に重ね合わされる。
【００４４】
導光部材４では、左右の第一導光体４２の入射面４０に入射した光が、左右の第一導光体４２内と第二導光体４３内を導光されて、第二導光体４３の出射面４１の全体から出射される。
【００４５】
（２−３）ケース
ケース５は、左右方向に長尺な箱状であり、左右の端面と下面のそれぞれに開口５８，５９を有している。ケース５は、合成樹脂で形成され、透光性を有さない。
【００４６】
ケース５は、上壁５０と、上壁５０の前端と一体の前壁５１と、上壁５０の後端と一体の後壁５２と、上壁５０の左右端と一体の一対の矩形枠状の側壁５３と、一対の側壁５３のそれぞれから左右方向外側に突出した４つの保持片５４と、を有する。
【００４７】
上壁５０は、右側の部分ほど下方に位置するように湾曲した第一壁部５００と、第一壁部５００の右端に連続し、右側の部分ほど上方に位置するように湾曲した第二壁部５０１と、を含む。第一壁部５００の左端部の下面と、第二壁部５０１の右端部の下面のそれぞれには、導光部材４の位置決めに用いる凹部５０２（図３参照）が設けられている。
【００４８】
前壁５１と後壁５２は、互いに平行であり、導光部材４の前後方向の長さと同じ距離だけ前後に離れて位置する。
【００４９】
保持片５４は、各側壁５３の４隅から左右方向外側に突出している（図１Ｃ参照）。基板３は、第一部分３３の４隅が４つの保持片５４によって保持されることで、上下方向及び前後方向の位置ずれが規制される。
【００５０】
図３に示すように、一対の側壁５３のそれぞれは、上側の枠部分５３０の下端から左右方向内側の下方に向けて突出した上傾斜壁５５と、下側の枠部分５３１の上端から左右方向内側の上方に向けて突出した下傾斜壁５６とを更に有する。下傾斜壁５６の左右方向内側の端部からは、左右方向内側に延長壁５７が突出している。
【００５１】
一対の側壁５３のそれぞれは、上側の枠部分５３０が上傾斜壁５５を介して上壁５０に連続している。図１Ｃに示すように、一対の側壁５３のそれぞれは、前側の枠部分５３２が前壁５１に連続し、後側の枠部分５３３が後壁５２に連続している。
【００５２】
一対の側壁５３のそれぞれは、左右方向に貫通した開口５８を有する。開口５８は、上傾斜壁５５と、下傾斜壁５６と左右の枠部分５３２，５３３で囲まれた部分である。
【００５３】
ケース５は、前壁５１の下端部と後壁５２の下端部と一対の側壁５３の下端部（下側の枠部分５３１）とで囲まれる開口５９を有する。
【００５４】
ケース５には、図２Ｂに示すように、導光部材４が収容される。左右一対の第一導光体４２のそれぞれは、突起４２４を上壁５０の左右一対の凹部５０２に挿入することで、左右方向の位置ずれが規制される。第二導光体４３は、ケース５に取り付けた保持部材６によって突起４３２が保持されることで、ケース５内に位置決めされ、ケース５の開口５９を塞ぐ。
【００５５】
ケース５内に導光部材４を収容した状態で、導光部材４の左右の入射面４０が左右の開口５８に対向して位置し、導光部材４の出射面４１が、下側に露出する。
【００５６】
（２−４）その他
光源ユニット１は、ケース５に取り付けられ、ケース５との間で基板３を挟んで保持する保持部材６を更に備える。本実施形態では、光源ユニット１は、保持部材６を左右一対に備える。
【００５７】
図１Ｂに示すように、保持部材６は、平板部６０と、平板部６０の上下の端部から左右方向内側に突出した一対の取付片６１と、平板部６０の上下の端部から左右方向内側に突出した一対の保持片６２と、を有する。
【００５８】
一対の取付片６１のそれぞれの先端部（左右方向内側の端部）には、ケース５の側壁５３の上下の枠部分５３０，５３１に引掛けるための爪部６１０が設けられている。
【００５９】
一対の保持片６２のそれぞれは、平板部６０の前後方向の中央部から左右方向内側に突出しており、一対の取付片６１のうちの対応する取付片６１と連続している。一対の保持片６２の先端面（左右方向内側の面）は、平面であり、この面が基板３を保持する保持面である。
【００６０】
保持部材６は、図３に示すように、ケース５の側壁５３の上下の枠部分５３０，５３１に一対の取付片６１の爪部６１０を引っ掛けることで、ケース５に取り付けられる。保持部材６は、ケース５に保持された基板３の第一部分３３の裏面に一対の保持片６２が接することで、基板３をケース５との間に挟んで保持する。
【００６１】
ケース５に一対の保持部材６を取り付けた状態で、一対の保持部材６の下側の取付片６１の爪部６１０によって導光部材４の第二導光体４３の左右の突起４３２が下側から支持される。これにより、ケース５内に導光部材４が位置決めされる。
【００６２】
（３）光源ユニットの組み立て方法
続いて、上述した各構成を組み合わせて、光源ユニット１を製造する方法の一例について説明する。
【００６３】
まず、ケース５の下側の開口５９から、ケース５内に、左右一対の第一導光体４２と第二導光体４３を挿入する。左右一対の第一導光体４２のそれぞれは、突起４２４をケース５の凹部５０２に挿入することで、左右方向の位置ずれが規制される。
【００６４】
次いで、ケース５の左右の側壁５３のそれぞれに、基板３の第一部分３３の外周部分３３０ａを当て、基板３をケース５の４つの保持片５４で支持する。
【００６５】
次いで、ケース５の左右の側壁５３のそれぞれに、保持部材６を取り付ける。保持部材６をケース５に取り付けることで、保持部材６の保持片６２とケース５の側壁５３とで基板３の第一部分３３が挟まれて保持される。またこのとき、左右の保持部材６の下側の取付片６１の爪部６１０によって、導光部材４の第二導光体４３の左右の突起４３２が下側から支持され、これにより、導光部材４がケース５内に位置決めされる。
【００６６】
基板３の第一部分３３がケース５と保持部材６とで挟まれて保持された状態で、発光ダイオード２と基板３の表面３０の発光ダイオード２を囲む部分３３０ｃは、側壁５３の開口５８内に収まって、ケース５に覆われて保護される。
【００６７】
基板３の第一部分３３がケース５と保持部材６とで挟まれて保持された状態で、基板３の第二部分３４は、ケース５よりも外側（後側）に位置して露出する。これにより、第二部分３４に実装された電源用の端子８が、光源ユニット１の外部の電源装置に対して機械的かつ電気的に接続しやすい。
【００６８】
（４）光源ユニットの作用効果
以上説明した光源ユニット１は、基板３の電源用の端子８を、外部の電源装置に電気的に接続したときに、発光ダイオード２が発光し、発光ダイオード２から出射された光の一部が、導光部材４の入射面４０に直接入射する。また、発光ダイオード２から出射された光のうち、直接または間接的に、基板３の表面３０の発光ダイオード２を囲む部分３３０ｃに入射した光は、低反射部３１と複数の高反射部３２に反射して導光部材４の入射面４０に直接または間接的に入射する。
【００６９】
ここで、本実施形態の光源ユニット１では、部分３３０ｃに低反射部３１と複数の高反射部３２とを設けているため、発光ダイオード２の連続点灯による熱及び紫外線によって少なくとも低反射部３１が変色することを抑制することができる。そのため、本実施形態の光源ユニット１では、部分３３０ｃの全体的な反射率の減衰を抑制することができ、光源ユニット１の出射光の減衰を抑制することができる。
【００７０】
また、本実施形態の光源ユニット１では、部分３３０ｃにおける低反射部３１と複数の高反射部３２の割合を、発光ダイオード２の発光効率に合わせて変えることができ、光源ユニット１の出射光を一定量確保しやすい。
【００７１】
また、本実施形態の光源ユニット１では、部分３３０ｃには、複数の高反射部３２が、発光ダイオード２を中心として点対称に設けられている。そのため、本実施形態の光源ユニット１では、ケース５に対する基板３の保持位置が左右方向の軸周りに多少ずれても、導光部材４の入射面４０に入射する光の量が変化しにくい。
【００７２】
（５）変形例
続いて、上述した光源ユニット１の変形例について説明する。
【００７３】
基板３の部分３３０ｃに設けられる複数の高反射部３２（高反射部３２０，３２１，３２２，３２３）のそれぞれは、金または白金族元素で形成されてもよい。白金族元素とは、パラジウム、白金等である。複数の高反射部３２のそれぞれは、基板３に形成された導体と電気的に絶縁されている。
【００７４】
複数の高反射部３２のそれぞれは、例えば、基板３の表面（ソルダーレジストの表面）に暗色の塗料を塗布した後、その上からリフローはんだ付けによって、金または白金族元素のめっきを取り付けることによって、部分３３０ｃに設けられる。
【００７５】
このように複数の高反射部３２を、金または白金族元素で形成することで、発光ダイオード２の連続点灯による熱及び紫外線等によって、高反射部３２が変色しにくい。
【００７６】
そのため、変形例の光源ユニット１では、発光ダイオード２の連続点灯による熱及び紫外線によって部分３３０ｃが変色することを全体的に抑制することができ、光源ユニット１の出射光の減衰をより安定して抑制することができる。
【００７７】
（表示装置）
続いて、上述した光源ユニット１を備える表示装置１００の一例について説明する。
【００７８】
図５及び図６Ａ，Ｂに示すように、表示装置１００は、光源ユニット１と、導光板９と、表示パネル１０と、を備える。本実施形態では、表示装置１００は更に、光源ユニット１を収容する外ケース１１と、導光板９及び表示パネル１０を支持するパネルケース１２と、光源ユニット１を発光させるための各種の電気機器が収容される筐体１３と、を備える。各種の電気機器は、例えば、端子台１４と電源装置１５と制御装置１６である。表示装置１００は、例えば避難誘導用の誘導灯として用いられる。
【００７９】
導光板９は、矩形板状であり、前後方向に厚みを有する。導光板９は、上面が、光源ユニット１からの光が入射される入射面９０であり、前面が、導光板９の内部に入射された光が出射される出射面９１である。導光板９は、樹脂成型品であり、例えばアクリル樹脂で形成される。
【００８０】
導光板９の後面には、前面の全体から光が略均一に出射されるように、光を反射及び拡散させる拡散機能が付与されている。拡散機能は、後面自体に凹凸状の拡散パターンを形成することによって付与してもよいし、拡散機能を有する他の部材（パネルケース１２等）を後面に積層することで付与してもよい。
【００８１】
表示パネル１０は、樹脂成型品であり、例えばアクリル樹脂で形成される。表示パネル１０の前面には、人物を模したピクトグラムで構成された表示パターン１７が付されている。表示パターン１７は、印刷等の適宜手段によって、表示パネル１０の前面に形成される。
【００８２】
パネルケース１２は、重なった状態の導光板９及び表示パネル１０を支持するケースである。パネルケース１２は、例えば樹脂成型品である。パネルケース１２は、透光性を有さない。パネルケース１２は、上面及び前面が開口した、前後方向に厚みを有する矩形の箱型である。パネルケース１２の後面には、筐体１３への取り付けに用いられる取付部１２０が設けられている。
【００８３】
外ケース１１は、後面及び下面が開口した、左右方向に長尺な矩形の箱型である。外ケース１１は、例えば樹脂成型品である。外ケース１１は、透光性を有さない。外ケース１１の後面には、筐体１３への取り付けに用いられる取付部１１０が設けられている。外ケース１１には、光源ユニット１が着脱可能に収容される。
【００８４】
筐体１３は、前面が開口した、矩形の箱型である。筐体１３には、パネルケース１２の取付部１２０が取り付けられる被取付部１３０と、外ケース１１の取付部１１０が取り付けられる被取付部１３１とが設けられている。筐体１３に、パネルケース１２と外ケース１１が取り付けられることで、筐体１３の前面の開口の全体が塞がれる。
【００８５】
端子台１４は、外部電源に接続された電気配線が接続される装置である。電源装置１５は、光源ユニット１の発光ダイオード２に電力を供給する装置である。電源装置１５は、蓄電池を含む。電源装置１５は、端子台１４に電気的に接続されている。電源装置１５は、電気配線を介してソケット１８に電気的に接続されている。ソケット１８は、筐体１３内に左右一対に設けられている。光源ユニット１を収容した状態の外ケース１１を、筐体１３に取り付けることによって、光源ユニット１の基板３の第二部分３４が、ソケット１８に差し込まれる。これにより、基板３の電源用の端子８とソケット１８とが電気的に接続されて、発光ダイオード２に、所定の大きさの電力が供給される。
【００８６】
制御装置１６は、光源ユニット１の発光ダイオード２の点灯・消灯を制御するための装置である。制御装置１６は、回路基板と、その上に実装されて、制御回路を構成する回路部品とを有する。制御装置１６は、基板３の発光ダイオード２に対して電気的に接続される。
【００８７】
以上説明した表示装置１００では、光源ユニット１の出射面４１から出射された光が、導光板９の入射面９０に入射し、この光が導光板９の後面で反射して導光板９の出射面９１（前面）から出射されることで、表示パネル１０を発光させることができる。
【００８８】
表示装置１００では、光源ユニット１からの出射光の減衰を抑制することができるため、表示パネル１０を所望の輝度で安定して発光させることができる。これにより、表示装置１００では、誘導灯として必要な所定の範囲の輝度を確保しやすい。
【００８９】
また、表示装置１００では、発光ダイオード２の寿命により光源ユニット１を交換する際に、発光効率の向上した発光ダイオード２を備える新たな光源ユニット１を採用することもできる。この場合、基板３として、部分３３０ｃにおける低反射部３１の割合を上げたものを用いる。これにより、以前の光源ユニット１と同様の光量で発光ダイオード２を発光させることができ、表示装置１００の輝度を、誘導灯として必要な所定の範囲に収めることができる。
【００９０】
（補足）
以上説明した本実施形態の光源ユニット１及び表示装置１００は、下記の変形例を採用可能である。
【００９１】
光源ユニット１は、誘導灯の光源に限らず、避難誘導のための電灯（非常灯）の光源として用いてもよいし、各種の標識や広告を表示するための電灯の光源として用いてもよい。
【００９２】
また、光源ユニット１は、図２Ａに示す光源ユニット１の右半部または左半部のみで構成される構造であってもよい。
【００９３】
（まとめ）
以上説明した一実施形態及びその変形例の光源ユニット１のように、第一態様の光源ユニット（１）は、下記の構成を備える。
【００９４】
すなわち、第一態様の光源ユニット（１）は、発光ダイオード（２）と、発光ダイオード（２）が表面（３０）に実装された基板（３）と、棒状の導光部材（４）と、ケース（５）と、を備える。導光部材（４）は、発光ダイオード（２）から出射した光が入射する入射面（４０）、及び入射面（４０）に入射した光が出射する出射面（４１）を有する。ケース（５）は、導光部材（４）を収容し、発光ダイオード（２）が入射面（４０）に対向するように基板（３）を保持する。基板（３）の表面（３０）において発光ダイオード（２）を囲む部分（３３０ｃ）は、暗色の低反射部（３１）と、低反射部（３１）よりも光の反射率が高い高反射部（３２）と、を含む。
【００９５】
上記構成を備えることで、第一態様の光源ユニット（１）では、基板（３）の表面（３０）の発光ダイオード（２）を囲む部分（３３０ｃ）のうち、低反射部（３１）においては、発光ダイオード（２）の熱及び紫外線や周囲の環境による変色が起こりにくい。そのため、第一態様の光源ユニット（１）では、基板（３）の表面（３０）の発光ダイオード（２）を囲む部分（３３０ｃ）全体としての反射率の減衰を抑えることができ、光源ユニット（１）からの出射光の減衰を抑制することができる。
【００９６】
また、第一態様の光源ユニット（１）では、基板（３）の表面（３０）の発光ダイオード（２）を囲む部分（３３０ｃ）における暗色の低反射部（３１）と高反射部（３２）の割合を、発光ダイオード（２）の発光効率に合わせて調整することができる。そのため、第一態様の光源ユニット（１）は、導光部材（４）の入射面（４０）に入射する光の量を一定としやすく、導光部材（４）の出射面（４１）から出射される光の量が安定しやすくて、所定範囲の輝度を必要とする誘導灯の光源として利用しやすい。
【００９７】
また、一実施形態及びその変形例の光源ユニット１のように、第二態様の光源ユニット（１）は、第一態様の光源ユニット（１）の構成に加えて、下記の構成を付加的に備える。
【００９８】
すなわち、第二態様の光源ユニット（１）では、低反射部（３１）の色は、黒色系である。
【００９９】
上記の構成を備えることで、第二態様の光源ユニット（１）では、発光ダイオード（２）の熱及び紫外線等によって低反射部（３１）の色が変色しにくくて、出射光の減衰を抑えやすい。また、第二態様の光源ユニット（１）では、低反射部（３１）の光の反射率が、他の色を採用した場合に比べて低く、仮に低反射部（３１）の色が多少変色しても、出射光の減衰が少ない。
【０１００】
また、一実施形態及びその変形例の光源ユニット１のように、第三態様の光源ユニット（１）は、第一または第二態様の光源ユニット（１）の構成に加えて、下記の構成を付加的に備える。
【０１０１】
すなわち、第三態様の光源ユニット（１）では、高反射部（３２）の色は、低反射部（３１）の色と異なる。
【０１０２】
上記の構成を備えることで、第三態様の光源ユニット（１）では、基板（３）の基材の表面に塗布する塗料の色を変えることで、低反射部（３１）と高反射部（３２）を簡単に形成することができる。
【０１０３】
また、一実施形態及びその変形例の光源ユニット１のように、第四態様の光源ユニット（１）は、第三態様の光源ユニット（１）の構成に加えて、下記の構成を付加的に備える。
【０１０４】
すなわち、第四態様の光源ユニット（１）では、高反射部（３２）の色は、白色系である。
【０１０５】
上記の構成を備えることで、第四態様の光源ユニット（１）では、高反射部（３２）の光の反射率が高いため、必要な反射率の確保が比較的小さな高反射部（３２）によって可能となり、低反射部（３１）の割合を増やすことができる。これにより、第四態様の光源ユニット（１）では、出射光の減衰を更に抑えやすい。
【０１０６】
また、一実施形態の変形例の光源ユニット１のように、第五態様の光源ユニット（１）は、第一または第二態様の光源ユニット（１）の構成に加えて、下記の構成を付加的に備える。
【０１０７】
すなわち、第五態様の光源ユニット（１）では、高反射部（３２）は、金または白金族元素で形成される。
【０１０８】
上記の構成を備えることで、第五態様の光源ユニット（１）では、低反射部（３１）だけでなく高反射部（３２）も、発光ダイオード（２）の熱及び紫外線等によって変色しにくくて、出射光の減衰を更に抑えやすい。
【０１０９】
また、一実施形態の変形例の光源ユニット１のように、第六態様の光源ユニット（１）は、第五態様の光源ユニット（１）の構成に加えて、下記の構成を付加的に備える。
【０１１０】
すなわち、第六態様の光源ユニット（１）では、基板（３）には、発光ダイオード（２）と電気的に接続された導体が形成され、高反射部（３２）は、前記導体と電気的に絶縁されている。
【０１１１】
上記の構成を備えることで、第六態様の光源ユニット（１）では、金または白金族元素で形成される高反射部（３２）の配置の自由度が高く、高反射部（３２）を形成しやすい。
【０１１２】
また、一実施形態及びその変形例の光源ユニット１のように、第七態様の光源ユニット（１）は、第一から第六態様のいずれか一つの光源ユニット（１）の構成に加えて、下記の構成を付加的に備える。
【０１１３】
すなわち、第七態様の光源ユニット（１）では、表面３０のうち発光ダイオード２を囲む部分（３３０ｃ）には、複数の高反射部（３２）が含まれる。複数の高反射部（３２）は、発光ダイオード（２）を囲むように、互いに周方向に間隔をあけて配置されている。
【０１１４】
上記の構成を備えることで、第七態様の光源ユニット（１）では、ケース（５）に対する基板（３）の保持位置にズレが生じた場合でも、部分（３３０ｃ）の反射が変化しにくい。
【０１１５】
また、一実施形態及びその変形例の光源ユニット１のように、第八態様の光源ユニット（１）は、第七態様の光源ユニット（１）の構成に加えて、下記の構成を付加的に備える。
【０１１６】
すなわち、第八態様の光源ユニット（１）では、複数の高反射部（３２）は、前記周方向に等間隔に配置されている。
【０１１７】
上記の構成を備えることで、第八態様の光源ユニット（１）では、ケース（５）に対する基板（３）の保持位置にズレが生じた場合でも、部分（３３０ｃ）の反射が変化しにくい。
【０１１８】
また、一実施形態及びその変形例の光源ユニット１のように、第九態様の光源ユニット（１）は、第七または第八態様の光源ユニット（１）の構成に加えて、下記の構成を付加的に備える。
【０１１９】
すなわち、第九態様の光源ユニット（１）では、複数の高反射部（３２）のそれぞれは、同一の面積を有する。
【０１２０】
上記の構成を備えることで、第九態様の光源ユニット（１）では、ケース（５）に対する基板（３）の保持位置にズレが生じた場合でも、部分（３３０ｃ）の反射が変化しにくい。
【０１２１】
また、一実施形態及びその変形例の光源ユニット１のように、第十態様の光源ユニット（１）は、第七から第九態様のいずれか一つの光源ユニット（１）の構成に加えて、下記の構成を付加的に備える。
【０１２２】
すなわち、第十態様の光源ユニット（１）では、複数の高反射部（３２）のそれぞれは、同一の面積を有する。
【０１２３】
上記の構成を備えることで、第十態様の光源ユニット（１）では、ケース（５）に対する基板（３）の保持位置にズレが生じた場合でも、部分（３３０ｃ）の反射が変化しにくい。
【０１２４】
また、一実施形態及びその変形例の表示装置１００のように、第十一態様の表示装置（１００）は、第一から第十態様のいずれかの光源ユニット（１）と、導光板（９）と、表示パネル（１０）と、を備える。導光板（９）は、光源ユニット（１）から出射した光が入射する入射面（９０）と、入射面（９０）に入射した光を出射する出射面（９１）とを有する。表示パネル（１０）は、透光性を有し、かつ導光板（９）の出射面（９１）に対向して位置する。
【０１２５】
上記の構成を備えることで、第十一態様の表示装置（１００）では、光源ユニット（１）の出射光が安定しやすく、表示パネル（１０）の表面の輝度を、所定の輝度としやすい。
【０１２６】
以上、本開示を添付図面に示す実施形態に基づいて説明したが、本開示は上記の実施形態に限定されるものではなく、本開示の意図する範囲内であれば、適宜の設計変更が可能である。
【符号の説明】
【０１２７】
１        光源ユニット
２        発光ダイオード
３        基板
３０      表面
３１      低反射部
３２      高反射部
３３０ｃ  部分
４        導光部材
４０      入射面
４１      出射面
５        ケース
９        導光板
９０      入射面
９１      出射面
１０      表示パネル
１００    表示装置
【図１】
2020087893.tif 000003
【図２】
2020087893.tif 000004
【図３】
2020087893.tif 000005
【図４】
2020087893.tif 000006
【図５】
2020087893.tif 000007
【図６】
2020087893.tif 000008